(57)【要約】【課題】静止画とこれに係わる音声を出力する機器として写真機能付き音声レコ−ダが市販されているが、映像・音声を同時に出力するには、撮影後にパソコンによる編集を必要とし、またテレビ受像機に直結できない不便さがあった。【解決手段】カメラに録音手段を内蔵させる。この録音手段はシャッタ操作に先立ち起動し、録音された音声のうち最新の音声のみが記録保持される録音手段である。シャッタが操作されたとき撮られた映像と共に記録保持された音声情報をデ−タファイルに格納する。撮影終了後再生釦を押せば静止画の表示と共に静止画に係わる音声が同時に出力される。またテレビ受像機との直結も可能である。【選択図】図１
0003127942.tif 000002
【実用新案登録請求の範囲】
【請求項１】
新しい音声情報が入力されるに伴い古い音声情報が順次消滅する先入れ先出し形式の記憶部と、該記憶部に録音される音声情報のうち少なくも最新の音声情報が格納されて所定時間保持される録音部と、該録音部を電源釦操作又は録音釦操作又はシャッタ釦のプリセット操作のうち何れか一つが操作されたことに対応して起動されて録音を開始させる録音起動部と、該録音起動部をタイマ−が設定操作されたことに対応して作動させ録音を開始させるセルフタイマ−と、シャッタを作動させるシャッタ釦が操作されたことに対応して撮影された静止画像情報をデ−タ格納部に格納する撮影制御部と、シャッタを作動させるシャッタ釦が操作されたことに対応して前記記憶部に保持された音声情報を取り出し転送してデ−タ格納部に格納する転送制御部と、前記格納された静止画像情報による静止画を表示する表示部と、前記格納された音声情報による音声を出力する音声出力部と、再生釦が操作されたことに対応して前記デ−タ格納部の情報を取り出し前記表示部に前記静止画像情報による静止画を表示させると共に前記音声出力部から前記音声情報による音声を少なくも１回出力させる出力制御部とを備えたカメラ。
【請求項２】
音声情報が記憶部に記憶・保持される時間を設定できる情報量設定部を備えた実用新案登録請求第１項記載のカメラ。
【請求項３】
シャッタを作動させるシャッタ釦が操作されたことに対応して記憶部内の音声情報を取り出しデ−タ格納部へ転送する転送時点を指定して設定できる転送指定部を備えた実用新案登録請求第１項記載のカメラ。
【考案の詳細な説明】
【技術分野】
【０００１】  本考案は、写真を撮影する写真装置において、被写体の静止画と共に該静止画に係わる音声の録音をも可能とするカメラに関する。
【考案の開示】
【考案が解決しようとする課題】
【０００２】  カメラの最大の機能の一つは速写性にあり例えば探鳥撮影旅行の際、突然珍鳥が鳴き声を発して飛び立ったとき、すかさずシャッタを押せば、その決定的瞬間を捉えることができる。しかしその鳥の珍しい鳴き声を記録できなかったもどかしさが残る。写真と音声とを並行して記録する機器として、写真機能付きを謳った音声レコ−ダが市販されている。この機器は音声の長時間録音の際、途中で写真を時々撮り、録音終了後、この撮った写真を、所望の音声デ−タを検索するためのブックマ−クとして使用している。従って音声デ−タと写真デ−タとがそれぞれ別個に記録される別ファイル形式である。このため録音終了後に編集（映像と音声を１対１で対応づける）作業が必要となり、これはパソコン上で編集ソフトの力を借りて行わなければならない。しかも得られた映像・音声をテレビ受像機に出力するには、パソコンを経由しなければならず、直接入力ができないという問題があった。カメラで撮った映像と、これに係わる音声とをテレビ受像機に出力させるには撮影直後以降何時でも直接入力できることが必須の条件となる。
本願はこの課題を解決することを目的としている。
【課題を解決するための手段】
【０００３】  課題解決の手段として、カメラに、シャッタ釦操作に先行して作動する録音手段を内蔵させ、シャッタ釦を押下した際、撮られた静止画像と共に該静止画像に係わる音声情報を記録する。【０００４】  以下、本願考案を図によって説明する。図１は、本願カメラの主要構成を説明するブロック図である。
課題解決の第一の手段として、シャッタ操作に先立つ時点に録音を開始する録音部４を設けた。この録音部４は録音起動部１６により起動され録音を開始するが、この録音起動部１６を作動させる方法は手動と自動の二通りがある。
手動    録音釦２を押す
自動
（１）電源釦１を押す（電源が入り撮影可能状態となると直ちに録音を開始する）
（２）プリセット操作
カメラ撮影にはシャッタ操作以前にプリセット操作を伴うことが多い。例えば絞りや露出の自動か手動かを決める釦１７の操作、撮影状況に合うモ−ドを選択する釦１９の操作、或いは２ステップ型のシャッタでは第１ステップ操作でカラ−バランスなどを確かめるが、この第１ステップ操作などのプリセット操作で録音を開始させる。
（３）セルフタイマ−釦１８のセット時に録音を開始させる。
課題解決の第二の手段として、録音部４の記憶部３に先入れ先出し形式のメモリを採用している。これは新しい音声情報が入る毎に古い音声情報が押し出されて消滅するメモリである。このため常時、録音されていても、録音される情報量は極めて少なくて済む。
課題解決の第三の手段は、情報量設定部７である。これは録音されて保持される情報量を自由に設定できるもので、例えば１０秒と指定すれば、１０秒間分の最新の音声情報が記憶部３に記録・保持される。
課題解決第四の手段は転送指定部２２である。これはシャッタ釦が操作されたときに記憶部３内の音声情報を取り出す転送時点を、シャッタ作動時か、又は作動後かを指定できる。例えば「作動後２秒」と指定しておけば記念撮影後の歓声などが録音できることになる。上記四つの手段により下記の動作が可能となる。【０００５】  図１において、録音起動部１６により起動された録音部４の記憶部３には最新の音声情報が録音されて保持されている。情報量設定部５により、例えば１０秒と設定してあれば、記憶部３には常に最新の音声情報が１０秒間分保持される。このような撮影可能状態において，シャッタ釦６（の第２ステップ）を押すと，撮影制御部８は撮られた静止画像情報７をデ−タ格納部１１に格納する。またシャッタ釦操作により起動された転送指令部２０は転送指令２１を発して転送制御部９を起動する。これにより転送制御部９は記憶部３内の音声情報１０を取り出しデ−タ格納部１１へ転送して格納する。従ってデ−タ格納部１１には，静止画像情報７と共に音声情報１０とが格納されたことになる。なお転送指定部２２によりデ−タを転送する時点を「シャッタ作動時と同時」と、指定してあれば、この音声情報１０は、シャッタ釦を押す直前の１０秒間の音声情報である。撮影後再生釦１２を押すと、出力制御部１３はデ−タ格納部１１内の情報を取り出し、表示部１４により静止画を表示させると共に音声出力部１５からは、この静止画に係わる音声を少なくも１回出力できることになる。
【考案の効果】
【０００６】  本願考案は次の効果を奏する。
（１）カメラで撮影した静止画と、これに係わる音声とが同期して記録されるので、撮影後の編集作業が不要となる。
（２）従って撮影後、直ちに映像と、これに係わる音声とを同時に出力できる。
（３）カメラをテレビ受像機に直結できパソコンが不要となるので撮った映像・音声を手軽に楽しめることになり利便性が飛躍的に増大する。
（４）本願カメラの撮影により得られた静止画・音声の両情報により電子アルバムを作成すれば、音の出る・話す写真アルバムを実現できる。これは印画紙の写真アルバムでは果たせなかった夢を達成したことになる。
このように本願の音の出るカメラは、従来のサイレントな写真システムに取って代わる魁けとなるものであり、カメラの利用分野が更に拡大される。
【考案を実施するための最良の形態】
【０００７】  以下本願考案の実施例を図によって説明する。図２はカメラの構成を示すブロック図である。電源釦１を押すと撮影可能状態となる。次に録音釦２を押すと録音起動部１６に起動された録音部４による録音が開始される。録音ヘッド２３からの音声情報７は記憶部３へ送られて記録される。記憶部３は先入れ先出し形式のメモリであって新しい情報が入る毎に古い情報は押し出されて消えてゆく形式のメモリである。この形式のメモリは既存の技術によって容易に実現できる。なお記憶部３に蓄積される情報量は情報量設定部５により設定される。例えば保持する情報量を１０秒と指定しておけば、記憶部３には常に最新の音声情報が１０秒間分だけ保持される。このように本願のカメラは撮影開始以前に録音を開始している。しかし記録される情報量は極めて少ない。【０００８】  上記の状態でシャッタ釦６が押されると、撮影制御部８と転送指令部２０とが起動される。撮影制御部８はシャッタ２５を作動させレンズ系２４からの静止画像情報７をデ−タ格納部１１へ送る。この静止画像情報７は画像ファイル２６に格納される。また同時に起動された転送指令部２０は、転送指令２１を発して転送制御部９を起動する。転送制御部９は記憶部３内の音声情報１０を取り出し、これをデ−タ格納部１１へ送って音声ファイル２７に格納する。
従ってシャッタ釦操作によりデ−タ格納部１１には静止画像情報７と、この静止画に係わる音声情報１０とが格納されたことになる。音声内容はシャッタ釦を押した時点より１０秒前の時点以降に被写体が発した音声、環境音などである。【０００９】  撮影終了後、再生釦１２を押せば、これにより起動された出力制御部１３はデ−タ格納部１１内の静止画像情報７をモニタ表示部１４へ送出すると共に音声情情１０を音声出力部１５へ送出する。これによりモニタ表示部１４に静止画が表示され、同時にこの静止画に係わる音声がスピ−カ−２８から発せられる。この音声は繰り返し出力させることもできる。
デ−タ書込部２９は、静止画像情報７及び音声情報１０をメモリカ−ド（又はメモリチップ）３０に書き込む。このメモリカ−ド３０を、テレビ受像機の読取口（図示していない）に挿入すれば、静止画像が映示される毎に、これに係わる音声が出力できることになる。
なお以上の例ではシャッタ釦押下と同時に転送指令２１が発せられたが、シャッタ釦押下後、例えば２秒後に転送指令２１を発する機能も備えている。この場合転送指定部２２により「２秒」と指定しておけば、シャッタ作動の２秒後に転送指令２１が発せられ、記憶部３内の時間情報１０はデ−タ格納部１１へ転送され格納される。このときの音声情報１０の内容は、シャッタ釦押下以前の８秒と押下後の２秒の計１０秒の内容となる。このようにシャッタ釦押下前後の音声情報も取り出すことができる。これは記念撮影などで、撮影直後の歓声なども記録できることになる。また実施例では電源釦１を押したのち録音釦２を押して録音を開始させたが電源釦１の押下で録音起動部１６により録音部４を起動させ、電源投入と同時に録音を開始させてもよい。
以上の録音開始の手法は電源釦１又は録音釦２を押す例であったが、このほかの手法もある。周知のように撮影する際、シャッタを押す以前に様々なプリセット操作が伴う。例えば絞りや焦点合わせなどの手動／自動を指定する釦１７による釦操作、或いは撮影状況に合う条件のモ−ドを選択するモ−ド釦１９による操作などである。従って、これらのうち何れか一つを操作した時点で録音を開始させてもよい。通常プリセットに要する時間は数秒程度ある。また記念撮影などに用いるセルフタイマ−用のタイマ−釦１８をセットした時点で、録音を開始させてもよい。一般にタイマ−設定時間は２〜１２秒である。
本願のカメラ機能は、カメラ機能を備えた携帯電話・ビデオカメラに適用できることはいうまでもない。
【図面の簡単な説明】
【００１０】
【図１】本願考案のカメラの主要構成を説明するブロック図である。
【図２】本願考案のカメラの実施例を説明するブロック図である。
【符号の説明】
【００１１】１    電源釦
２    録音釦
３    記憶部
４    録音部
５    情報量設定部
６    シャッタ釦
７    静止画像情報
８    撮影制御部
９    転送制御部
１０  音声情報
１１  デ−タ格納部
１２  再生釦
１３  出力制御部
１４  表示部、モニタ表示部
１５  音声出力部
１６  録音起動部
１７  自動／手動釦
１８  セルフタイマ−釦
１９  モ−ド選択釦
２０  転送指令部
２１  転送指令
２２  転送指定部
２３  録音ヘッド
２４  レンズ系
２５  シャッタ
２６  画像ファイル
２７  音声ファイル
２８  スピ−カ−
２９  デ−タ書込部
３０  メモリカ−ド
【図１】
0003127942.tif 000003
【図２】
0003127942.tif 000004
【手続補正書】
【提出日】平成18年9月29日(2006.9.29)
【手続補正１】
【補正対象書類名】実用新案登録請求の範囲
【補正対象項目名】請求項１
【補正方法】変更
【補正の内容】
【請求項１】
録音される音声情報のうち少なくも最新の音声情報が記憶部に格納されて所定時間保持される録音部と、前記記憶部に音声情報が記憶・保持される時間量を設定する情報量設定部と、電源釦操作又は録音釦操作又は撮影前のプリセット操作のうち何れか一つが操作されたことに対応して作動し前記録音部を起動して録音を開始させる録音起動部と、シャッタを作動させるシャッタ釦が操作されたことに対応して撮影された静止画像情報をデ−タ格納部に格納する撮影制御部と、シャッタを作動させるシャッタ釦が操作されたことに対応して前記記憶部に保持された音声情報を取り出し転送してデ−タ格納部に格納する転送制御部と、前記格納された静止画像情報による静止画を表示する表示部と、前記格納された音声情報による音声を出力する音声出力部と、再生釦が操作されたことに対応して前記デ−タ格納部の情報を取り出し前記表示部に前記静止画像情報による静止画を表示させると共に前記音声出力部から前記音声情報による音声を少なくも１回出力させる出力制御部とを備えたカメラ。
【手続補正２】
【補正対象書類名】実用新案登録請求の範囲
【補正対象項目名】請求項２
【補正方法】変更
【補正の内容】
【請求項２】
新しい音声情報が入力される伴い古い音声情報が順次消滅する先入れ先出し形式の記憶部を備えた実用新案登録請求第１項記載のカメラ。
【手続補正３】
【補正対象書類名】明細書
【補正対象項目名】０００２
【補正方法】変更
【補正の内容】
【０００２】映像（動画）と音声との双方を同時に記録するのは「ビデオカメラ」、これに対し映像（静止画）のみを記録するのは「カメラ」と位置付けられてきたが、最近のデジタルカメラには、撮影後、撮った静止画に音声を録音できるようになった機種がある。これは個々の静止画に対しそれぞれ説明文やメモや音楽などを、後から付加できるようにしたものである。しかし、このようなカメラでの野鳥撮影の際、珍鳥が突然鳴き声を発して飛び立ったとき飛び立つ瞬間を捉えることはできても、その鳥の鳴き声は記録できず、説明する文章などを後から録音しても飛び立った鳥の珍しい鳴き声には及ばない。
カメラの最大の特徴の一つは速写性にあり、スポ−ツ写真や報道写真などの一枚の写真は多くの人に感銘を与える。しかしその写真に、撮影時の音声が加われば迫真性や感動が更に増す。また幼児の育児アルバムを作成する日々の写真には撮影時に発した幼児の音声は貴重な記録となる。このように静止画とこれに係わる音声との双方を同時に記録する潜在需要は多いが、これに応えるカメラは市場には存在しない。
一方、殆どのビデオカメラに「カメラ機能」が付加されているが、その「カメラモ−ド」で撮ったとき得られる映像は静止画のみであり音声は記録されない。
またカメラには、音声付きの動画が撮影できる「ビデオカメラ機能」が付加された機種がある。この種のカメラの「ビデオカメラモ−ド」で撮影し、得られた音声付き動画映像（例えば毎秒３０フレ−ムの静止画像群）の中から一枚の静止画像を取り出し、これに係わる音声を対応させて「音声付き静止画」を作り出そうとするならば、パソコンを用い編集ソフトの力を借りて静止画像と音声とを対応付ける後処理が必要となる。
以上のように既存のカメラ（又はカメラ機能を備えたビデオカメラなど）は、撮影時の直前又は直前・直後又は直後の音声を、映像（静止画像）と共に同時に記録できる手段を備えておらず、これを解決するには新たな発想が求められる。
本願はこの課題を解決することを目的としている。
【手続補正３】
【補正対象書類名】明細書
【補正対象項目名】０００６
【補正方法】変更
【補正の内容】
【０００６】  本願考案は次の効果を奏する。
（１）カメラで撮影した静止画と、これに係わる音声とが同期して記録されるので、撮影後の編集作業が不要となる。
（２）従って撮影後、直ちに映像と、これに係わる音声とを同時に出力できる。
（３）本考案の録音手段は、シャッタが作動する直前又は直前・直後又は直後に被写体が発した音声或いは環境音などを選択して録音できるので、状況に応じた多様な撮影を楽しむことができる。
（４）従来の電子アルバムは、無音の静止画又は説明文や音楽などが付加録音された静止画などで構成されていたが、本考案により撮影時点の「生」の音声付きの静止画による電子アルバムの作成が容易となる。
このように撮影時の音声を記録できるカメラの出現によって、カメラの利用分野が更に拡大される。
【手続補正４】
【補正対象書類名】明細書
【補正対象項目名】０００８
【補正方法】変更
【補正の内容】
【０００８】  上記の状態でシャッタ釦６が押されると、撮影制御部８と転送指令部２０とが起動される。撮影制御部８はシャッタ２５を作動させレンズ系２４からの静止画像情報７をデ−タ格納部１１へ送る。この静止画像情報７は画像ファイル２６に格納される。また同時に起動された転送指令部２０は、転送指令２１を発して転送制御部９を起動する。転送制御部９は記憶部３内の音声情報１０を取り出し、これをデ−タ格納部１１へ送って音声ファイル２７に格納する。
従ってシャッタ釦６の操作によりデ−タ格納部１１には静止画像情報７と、この静止画に係わる音声情報１０とが格納されたことになる。音声内容はシャッタ釦６を押した時点より１０秒前の時点以降に被写体が発した音声、環境音などである。
【手続補正書】
【提出日】平成18年10月5日(2006.10.5)
【手続補正１】
【補正対象書類名】明細書
【補正対象項目名】０００５
【補正方法】変更
【補正の内容】
【０００５】  図１において、録音起動部１６により起動された録音部４の記憶部３には最新の音声情報が録音されて保持されている。情報量設定部５により、例えば１０秒と設定してあれば、記憶部３には常に最新の音声情報が１０秒間分保持される。このような撮影可能状態において、シャッタ釦６（の第２ステップ）を押すと、撮影制御部８は撮られた静止画像情報７をデータ格納部１１に格納する。またシャッタ釦６の操作により起動された転送指令部２０は転送指令２１を発して転送制御部９を起動する。これにより転送制御部９は記憶部３内の音声情報１０を取り出しデータ格納部１１へ転送して格納する。従ってデータ格納部１１には、静止画像情報７と共に音声情報１０とが格納されたことになる。このようにデータ格納部１１の静止画像情報７と音声情報１０とは、同一ファイル内に一対のデータとして記録される。なお転送指令部２２によりデータを転送する時点を「シャッタ作動時と同時」と、指定してあれば、この音声情報１０は、シャッタ釦６を押す直前の１０秒間の音声情報である。撮影後再生釦１２を押すと、出力制御部１３はデータ格納部１１の情報を取り出し、表示部１４により静止画を表示させると共に音声出力部１５からは、この静止画に係わる音声を少なくも１回出力できることになる。
以上のように本考案のカメラは、撮影により得られた静止画像情報７とそれに係わる音声情報１０とが同一ファイルに格納・記録される。従って所望の静止画を選択したとき、その静止画が表示されると共に同一ファイル内の音声情報１０による音声が出力されることになる。従来のような映像（静止画）とこれに係わる音声とを対応付ける編集作業は一切不要であり、また撮影直後の映像・音声の鑑賞も可能となる。